(57)【要約】【課題】従来の防虫、防鳥ネットは、一度展張したら一部或は全部の展張を解除するか、ファスナーを設けてそのファスナーを開ける、或は別布や別ネットで覆ってそれを外す方法しか、ネット内農作物を手入れする方法はなかった。【解決手段】構成する単位面のネット隣り合うネット端同士を帯状に重ね合わせ、重ね合わせて二重になった帯状部分に縦方向に、編み込んで固着化した部分と編み込まずに固着しない部分を交互に配した。これにより、ネットの縛りつけ等の解除や、ファスナーの取り外し、別の布やネット等の覆いの解除等することなく、単位面間を離間させての開口部に手や器具を挿入しての、農作物の手入れ等作業が出来る。【選択図】  図１
2015000057.tif 000002
【特許請求の範囲】
【請求項１】
構成する単位面のネットの隣り合うネット端同士を帯状に重ね合わせ、重ね合って二重になった帯状部分に経方向に、編み込んで固着化した部分と編み込まずに固着しない部分とを交互に配したものであるところの支柱等に展張する農業用防虫、防鳥ネット。
【請求項２】
重ね合わせて二重になった帯状部分の帯幅端又はその近傍域において、経方向に紐が挿入されたものである請求項１記載の農業用防虫、防鳥ネット。
【請求項３】
経方向にループを鎖状に連結した経糸を非ループ状態で緯方向に繋いで編成された構成糸間空隙の大きい編物からなる、緯糸が平面的なフラットヤーンのままの、テープヤーンであり、且つ、経糸もテープヤーンである請求項１又は請求項２記載の農業用防虫、防鳥ネット。
【請求項４】
ネットの幅両端或はその近傍域において、扁平状なテープヤーンが経方向に紐として挿入されているものである請求項１から請求項３のいずれかに記載の農業用防虫、防鳥ネット。
【発明の詳細な説明】
【技術分野】
【０００１】
本発明は、農業用の支柱等に展張して用いる農作物育成作業がし易い防虫、防鳥ネットに関するものである。
【背景技術】
【０００２】
野菜、果物などの農作物に対する防虫、防鳥ネットすなわち柱による囲いや柱、樹木そのもの或は梁などの、要するに支柱等に展張して用いる、虫や鳥の侵入を防ぐためのネットは、展張して後にも生育にあわせての手入れや摘菜、摘果等の一部収穫等の手入れ等作業が必要であるが、従来のものは、例えば特開２００７−４３９３３のように、一度展張したら一部であれ展張を解除してからのみでないと手入れ等作業が出来なかったものや、特開２００１−２１８５３０のように、その部位にファスナーを設けるか、別の布やネットで覆うものしかなかった。
【先行技術文献】
【特許文献】
【０００３】
【特許文献１】特開２００７−４３９３３号公報
【特許文献２】特開２００１−２１８５３０号公報
【発明の概要】
【発明が解決しようとする課題】
【０００４】
解決しようとする課題は、ネットを展張して後に展張を解除することなく手入れ等の作業ができるようにすることである。
【課題を解決するための手段】
【０００５】
本発明の支柱等に展張する農業用防虫、防鳥ネットは、構成する単位面のネットの隣り合うネット端同士を帯状に重ね合わせ、重ね合って二重になった帯状部分に経方向に、編み込んで固着化した部分と編み込まずに固着しない部分とを交互に配したものである。
【０００６】
請求項２の発明においては、重ね合って二重になった帯状部分の帯幅端又はその近傍域において、経方向に紐が挿入されたものである。
【０００７】
請求項３の発明については、経方向にループを鎖状に連結した経糸を非ループ状態で緯方向に繋いで編成された構成糸間空隙の大きい編物からなる、緯糸が平面的なフラットヤーンのままの、テープヤーンであり、且つ、経糸もテープヤーンというものである。
【０００８】
請求項４の発明については、ネットの幅両端或はその近傍域において、扁平状なテープヤーンが径方向に紐として挿入されているものである。
【発明の効果】
【０００９】
重ね合った帯状二重編み部分の内の編み込まずに固着しない部分で単位面間を離間させて開口した部分に手や器具を差し入れることで、展張を解除すなわちネットの縛りつけ等の解除や、ファスナーの取り外し、別の布やネット等の覆いの解除等することなく、農作物の手入れ等作業が出来る。
【００１０】
請求項２の発明では、作業や風等によるネットの弛みで開口部が開きっ放しになっても、挿入された紐を引っ張ることにより、開口部を閉じることが出来る。開口部を閉じることにより、開口部からの虫や鳥の侵入の危険性を排除できる。
【００１１】
請求項３の発明では、緯糸が平面的なラットヤーンのままのテープヤーン、且つ経糸もテープヤーンなので、撚糸やモノフィラメントのような剛直性がなくて糸が折れやすく、離間部の開口がし易くなり、結果として作業のための手や道具の挿入及び挿入後の手入れ等作業もし易くなる。
【００１２】
又、各糸がテープヤーンなので剛直性がないという理由で柔らかく、且つ当たったときも幅広く接することになるので、農作物及び虫や鳥を損傷させる危険性を低減できる。
【００１３】
さらに、各糸がテープヤーンなので厚くなく、そのことで重ね合わせがあってもネットの厚みが厚くならず、又、ヤーンが厚くないので折れが容易になってロール巻きし易く、さらに、幅方向にも折畳み易くなるので幅広のネットであっても幅狭く折畳め、折畳んだものもロール巻きしやすい。
【００１４】
又折れが容易になるとともに、折れに対する戻りも容易になるわけなので、折って巻かれたロールからの展開の作業がし易くなる。このこと及び上記の幅狭く折畳まれたロール巻きであることは、狭い場所での展開作業がし易いことに繋がる。
【００１５】
請求項４の発明では、挿入されている紐が扁平状なテープヤーンであるので、前述の折畳み易さ、ロール巻き戻し易さの障害にならない。さらに、撚糸やモノフィラメントのような剛直性があることで生じる縛りつけの弛みからのネットの弛みとその影響の開口部開放、そして虫、鳥の侵入という懸念が、テープヤーンだと低剛直性なので縛りつけ弛みはなく、開口部開放もなくなるということで解消される。
【００１６】
又、ネットを長期間張りっぱなしにして風等で弛みが生じても、挿入されている紐を引っ張ることによりネットがピンときれいに補正できる。ネットがピンと張られることで、弛んだ結果生じる開口部離間隙間からの虫や鳥の侵入の危険性を排除すると共に、弛んだネットの風等による揺れで生じるネットと農作物との接触からの農作物損傷の危険性を排除出来る。
【００１７】
【発明を実施するための形態】
【００１８】
以下に、本発明の実施の形態を図１〜図７に基づいて説明する。
【００１９】
ネットの材質はポリエチレンである。材質は限定されるものではないが、価格面、耐久性及び柔軟性からポリエチレンが適当である。
【００２０】
尚、ネットを構成する各テープヤーンの製法は限定されるものではないが、インフレーション法で延伸製膜されて縦方向に薄い平紐状に割かれたものが、低コストであっても必要強度が得られるので最も適当であり、その方法のものを本実施例でも用いた。
【００２１】
ネットの編織はダブルラッセル機を用いて行われており、一体化して編まれたものである。ラッセル編みの為、結節編みのような結節による引っ掛りや他の無結節編みのようなほつれによる引っ掛りがないので、ネットが絡み難く、再展張時などには素早く展張作業が出来る。
【００２２】
本発明の支柱等に展張する農業用防虫、防鳥ネットは、構成する単位面のネットの隣り合うネット端同士を帯状に重ね合わせ、重ね合って二重になった帯状部分に経方向に、編み込んで固着化した部分と編み込まずに固着しない部分とを交互に配したものである。
【００２３】
編み込んで固着化した部分と編み込まずに固着しない部分との各部位幅や交互の間隔は、必要に応じて設計すればよく、各寸法が入り混じってもよいが、汎用性を持たすには一定である方が適当であり、本実施例では一定にした。尚、編み込まずに固着しない部分の長すぎることは、開口部幅が広くなることに繋がり、ネットの張りが弛んだ時等に口が開いて防虫防鳥効果を損ねることが起きやすくなるので、適当でない。
【００２４】
実施例１について説明する。図１は実施例１のネットの略平面図である。図１においては、編織されたネットの流れ方向すなわち経方向を縦に、幅方向すなわち緯方向を横になるように記した。尚、経方向に挿入される糸を経糸と呼び、緯方向に挿入される糸を緯糸と呼ぶ。ネットは、ダブルラッセル編織機によるＡ面とＢ面とのダブル編みによるものであり、本実施例では、Ｂ面の左方部分ＢＬと右方部分のＢＲが部分的にＡ面と帯状に重ね合わされ、重ね合わされた部分の一部が編込まれて一体化されたものであり、編み込んで固着した部分は符号３で示された部分であり、編み込まずに固着しない部分は符号４で示された部分である。
【００２５】
尚、使用した経糸及び緯糸の太さ（重量）は２８０デシテックス（緯糸の幅は約１．２ｍｍ）、各挿入紐太さは（重量）５６００デシテックス（幅３３ｍｍ、紐としての幅３ｍｍ）であり、目合は幅約１５ｍｍ、長さ約２５ｍｍである。
【００２６】
又、ＢＬ幅７７５ｍｍ、Ａ幅７４０ｍｍ、ＢＲ幅７７５ｍｍ、二重になった帯状部分の各幅１２０ｍｍであり、ネット全幅２０５０ｍｍである。そして、編み込んで固着した部分の経方向幅は１５０ｍｍ、編み込まずに固着しない部分の経方向幅は５００ｍｍである。尚、幅寸法は編織機により制限されるが、経方向寸法すなわち長さは限度なく連続して編織可能であるのを適当な長さで切ったものを図示している。
【００２７】
図２は図１のネットの幅方向から見た各構成面の重なりを表す図であり、図３は同じく幅方向から見た、二重になった帯状部分の内の編み込んで固着した部分を主に示す部分断面図であり、その部分を符号３で示した。図４は同じく幅方向から見た、二重になった帯状部分の内の編み込まずに固着しない部分を主に示す部分断面図であり、その部分を符号４で示した。図５は、図３、４の方向と直交するネットの流れ方向から見たネットの二重になった部分の内の、編み込んで固着した符号３部分と編み込まずに固着しない符号４部分とを示す部分断面図である。符号４部分は押し開いて開口でき、そこから手、腕、道具等を差し入れて手入れ等作業が出来る。
【００２８】
図６は、そのネットをトンネル掛けと呼ばれる蒲鉾状展張型にて、農作物の周囲に展張したものの図である。図１で中央に通されている符号７で示される紐は、アーチ支柱列でなる肋骨中央に当てられ、図１の符号６の紐とともに、紐端を引っ張って縛りつけられてネットは固定される。横に広く帯状に示されている部分がＡ面とＢ面の重なり合った部分であり、固着した符号３の部分と固着しない符号４の部分が交互に繰り返されている。符号４の部分は、固着されていないので手等を差し入れてＡ面とＢ面を押し開くことが出来る。
【００２９】
そして、その押し開いた部分から手、腕、器具、道具類を、Ａ面とＢ面が重ならない部分まで差し入れるならば、囲いの内の農作物の手入れ等の作業が出来ることになる。このことにより、従来品に必要だった縛り付けを解いて端を捲ったり、展張を全部解して張りなおしたりするという手間が省かれる。手入れ等作業の例としては、摘心や切り戻し、一部摘菜、摘果がある。又、病変部分の切除や薬剤処理、害虫の摘除もし易い
【００３０】
尚、符号４で示されるところの二重部分の固着されていない部分の奥行きは必要に応じて決められるものだが、防鳥と作業性の両方が満足できる寸法は約９０〜１５０ｍｍである。何故なら、短いと作業性が良くなるが防鳥性は落ち、長いと防鳥性は良くなるが作業性が落ちるものであり、特に奥行き２００ｍｍを超えると、人によっては前腕長を超えたり、近くなったりして、手や腕が一度に奥まで入らず、ネットを手繰り寄せる必要が生じたりする。又、手や腕をネットに差し入れて後の作業は肘を軸に左右に振ることで行うことが多いが、振り幅が必要であり、その分短くしないと作業がやり難いことになるからである。老若男女の使用を想定した寸法は９０〜１５０ｍｍであり、本実施例では１２０ｍｍで行ったが、作業性は満足できるものであった。
【００３１】
同じく符号４で示されるところの二重部分の固着されていない部分の幅は必要に応じて決められるものであっても、防鳥性からは短い方が良いわけだが、作業性は確保される必要がある。防鳥と長袖を着た腕が充分に差し入れられて、収穫鋏や肥料を持っていても作業性が満足できる寸法としては４００ｍｍぐらい以上必要があると思われ、本実施例では５００ｍｍとしたが、問題はなかった。
【００３２】
尚、生地目合は必要に応じて決められるものだが、幼鳥も入らない大きさとして、約１５ｍｍ×約２５ｍｍとした。
【００３３】
又、この寸法程度では防蝶になるが、さらに小さい虫になると網目から入りうるので、防虫については必要に応じて小目合にする必要がある。
【００３４】
この張り方が向いている農作物は比較的小丈のものであり、苺、枝豆、葉物野菜が例示される。
【００３５】
又、ネットを長期間張りっぱなしにして風等で弛みが生じても、挿入されている紐を引っ張ることによりネットがピンときれいに補正できる。ネットがピンと張られることで、弛んだ結果生じる開口部離間隙間からの虫や鳥の侵入の危険性を排除すると共に、弛んだネットの風等による揺れで生じるネットと農作物との接触からの農作物損傷の危険性を排除出来る．
【００３６】
尚、実施例１では、以下の発明思想も活かされているので、それについても述べる。
ネットの二重になった部分の径方向に挿入されている符号５の紐は、引っ張ることにより、作業時に開いてしまった開口部を閉じることが出来る。開口部を閉じることにより、開口部からの虫や鳥の侵入の危険性を排除できる。
【００３７】
又、このネットが、経方向にループを鎖状に連結した経糸を非ループ状態で緯方向に繋いで編成された構成糸間空隙の大きい編物からなる、緯糸が平面的なフラットヤーンのままの、テープヤーンであり、且つ、経糸もテープヤーンであるものならば、支柱等に各糸が幅広く当たることになるので、ずれ難い確りした張付けが出来ることになる。
【００３８】
さらに、ネットの経糸、緯糸ともテープヤーンであるならば、撚糸やモノフィラメントのような剛直性がなくて糸が折れやすく柔らかくソフトであり、且つ当たったときも幅広く接することになるので、農作物や、虫、鳥に損傷を与えることが少ない。この例ではテープヤーンの糸幅を約１．２ｍｍとしたので、特に製網時や使用時の強度上の問題がなくて柔らかくソフトであり、農作物や虫、鳥に損傷を与えることが特に少ない。
【００３９】
さらに、各糸がテープヤーンなので厚みがなく、そのことで重ね合わせがあってもネットの厚みが厚くならず、又、ヤーンが厚くないので折れ曲がりが容易になってロール巻きし易く、さらに、幅方向にも折畳み易くなるので、幅広のネットであっても幅狭く折畳め、折畳んだものもロール巻きしやすいので、小さくコンパクトにまとめ易く、収納もし易い。
【００４０】
又さらに同理由で、各糸の折れ、および折れに対する戻しが容易になるので、ロールへの巻きつけや巻かれたロールからの展開の作業がし易くなる。このこと及び上記の幅狭く折畳まれたロール巻きであることは、狭い場所での展開作業がし易いことに繋がる。この仕様であれば、２００〜２５０ｍｍ幅紙管に巻きつけ易くて一人で楽に展開や展張が出来、約２ｍ幅に広げられる。このことで、狭い場所での展張作業がし易くなる。
【００４１】
次にネットを支柱等に固定する方法について述べる。固定方法は限定されるものではないが、図１の符号６の紐のようにネットの幅両端或はその近傍域において紐が通されているならば、その紐を支柱等に縛り付けてネットは固定できる。
【００４２】
そして、挿入されている紐が扁平状なテープヤーンであるならば、前述の折畳み易さ、ロール巻きし易さの障害にならなく、又、支柱等に縛り付ける場合の、撚糸やモノフィラメントのような剛直性があることで生じる縛りつけの弛みからのネットの弛みとその影響の開口部開放、そして虫、鳥の侵入という懸念が、テープヤーンだと低剛直性なので縛りつけ弛みはなく、開口部開放もなくなるということで解消される。
【００４３】
さらにネットを長期間張りっ放しにして風等で万が一弛みが生じても、挿入されている紐を引っ張ることによりネットがピンときれいに補正できる。ネットがピンと張られることで、弛んだ結果生じる開口部離間隙間からの虫や鳥の侵入の危険性を排除すると共に、弛んだネットの風等による揺れで生じるネットと農作物との接触からの農作物損傷の危険性を排除出来る。
【００４４】
又、この紐を左右端異なる色のものにしたならば、このネットを撤去した後再展張する際には、ネットが捩れたり撚れたりしていても、左右識別しての扱いがし易くて展開が容易となる。
【００４５】
さらに、図１の符号７の紐のようにネット中央に紐が通されているならば、図６のような例において稜線部分に紐を当てて、その紐を支柱等に縛り付けるために用いるならば、ずれ難い縛りつけが出来ることになる。
【００４６】
特に、それらの各紐が扁平状なテープヤーンであるならば、幅広紐なので支柱類には接触面積の多い接し方になるのでずれ難く、また、モノフィラメント紐や確り撚った紐のような剛直性がないので曲げ易く、その結果として縛りの戻りもない縛り付けが出来る。
【００４７】
そして、前述の二重になった部分の紐と共に、各々の紐端を引っ張ることにより、長期間張りっ放しで風等によって弛んだネットをピンときれいに補正できる。
【００４８】
次に実施例２について説明する。ネットを構成する各面は複数面あれば面数にこだわる必要はない。実施例２として構成する単位面が二面のものについて述べる。この場合、実施例１のようにＢ面がＢＬ面とＢＲ面と分かれることなく、Ａ面とＢ面で構成される。
【００４９】
図７は、そのネットを腰巻状に張った概略図である。背の高い農作物に向いている張り方である。トマト、とうもろこし、オクラ等が背の高い農作物に例示される。この仕様と張り方でも、前述各効果は期待できる。又、図７では符号３及び符号４部分で構成される二重になった帯状部分符号２部分は一つであるが、実施例１と同じく二重になった帯状部分を二つにしても良い。そうすれば、同一農作物の上の方と下の方の両方の高さ部位に対しての手入れ作業が出来ることになる。
【００５０】
尚、天面は同一のネットの延長や同一仕様の別ネットを用いてもよいが、他種のネットやシートを用いてもよい。同一ネットの延長のものであって、天面に二重になった帯状部分の内の編み込まず固着しない部分を設けるように配したならば、農作物の上方からも手入れ作業が出来ることになる。
【図面の簡単な説明】
【００５１】
【図１】本発明の実施形態を示す農業用防虫、防鳥ネット平面図
【図２】同ネットの幅方向から見た各構成面の重なりを表す図
【図３】同ネットの幅方向から見た、二重になった帯状部分の内の編み込んで固着した部分を主に表す部分断面図
【図４】同ネットの幅方向から見た、二重になった帯状部分の内の編み込まずに固着しない部分を主に表す部分断面図
【図５】同ネットの流れ方向から見た、二重になった帯状部分の内の編み込んで固着した部分と編み込まずに固着しない部分を表す部分断面図
【図６】同ネットを農作物周囲に、トンネル掛けと呼ばれる蒲鉾状に張ったものの図
【図７】本発明の別の実施形態の農業用防虫、防鳥ネットを腰巻状に張ったものの図
【符号の説明】
【００５２】
１    本発明の農業用防虫、防鳥ネット
２    二重になった帯状部分
３    編み込んで固着した部分
４    編み込まずに固着しない部分
５    二重になった帯状部分の経方向に通されている紐
６    ネットの幅両端域或はその近傍域に通されている紐
７    ネット中央に通されている紐
Ａ    ダブルラッセル編みにおける片方の網面
ＢＬ  ダブルラッセル編みにおけるもう片方の網面の内の左方面部
ＢＲ  ダブルラッセル編みにおけるＢＬと同じ方の網面の内の右方面部
【図１】
2015000057.tif 000003
【図２】
2015000057.tif 000004
【図３】
2015000057.tif 000005
【図４】
2015000057.tif 000006
【図５】
2015000057.tif 000007
【図６】
2015000057.tif 000008
【図７】
2015000057.tif 000009